(57)【特許請求の範囲】
【請求項１】
変速機の末端部に設けられる末端ケース部における開口端部に配され、インナー部材と該インナー部材の外周部に配されるアウター部材の２物品からなり、該変速機の出力軸もしくは該出力軸に連結される連結軸を支持する軸受部材と、
前記末端ケース部の内面部に形成され、前記変速機の出力軸の回転に伴って該変速機の内面部に飛散された潤滑油を該内面部に沿って前記軸受部材に導く突起状部材と
を備え、
前記アウター部材の一端を前記インナー部材における対向する一端部から前記末端ケース部内に前記出力軸に沿って突出させることにより、前記突起状部材と前記出力軸の一部もしくは前記連結軸の一部との間を遮蔽する遮蔽部材が構成されることを特徴とする変速機の潤滑装置。
【請求項２】
変速機の末端部に設けられる末端ケース部における開口端部に配され、該変速機の出力軸もしくは該出力軸に連結される連結軸を支持する軸受部材と、
前記末端ケース部の内面部に形成され、前記変速機の出力軸の回転に伴って該変速機の内面部に飛散された潤滑油を該内面部に沿って前記軸受部材に導く突起状部材と
を備え、
前記軸受部材とは別体に前記突起状部材と前記出力軸の一部もしくは前記連結軸の一部との間を遮蔽する遮蔽部材が、前記軸受部材の端部から前記末端ケース部の内方に向けて突出形成されることを特徴とする変速機の潤滑装置。
【請求項３】
前記遮蔽部材が前記末端ケース部に連結されることを特徴とする請求項２記載の変速機の潤滑装置。
【請求項４】
前記軸受部材は、前記突起状部材により導かれた潤滑油を内周面に導く潤滑油供給路を有し、前記遮蔽部材は該潤滑油を該潤滑油供給路に導く導入手段
を有することを特徴とする請求項１または請求項２記載の変速機の潤滑装置。
【請求項５】
前記導入手段は、前記遮蔽部材の外周部に前記出力軸に沿って伸びて形成される油溝であることを特徴とする請求項４記載の変速機の潤滑装置。
【請求項６】
前記軸受部材に設けられた油溝に連通するように潤滑油供給路が形成されていることを特徴とする請求項５記載の変速機の潤滑装置。
【請求項７】
前記導入手段は、前記遮蔽部材の外周部に前記突起状部材に向けて開口する開口部を有する導入部材であることを特徴とする請求項４記載の変速機の潤滑装置。
【請求項８】
前記導入手段が前記遮蔽部材の外周部に前記出力軸に沿って伸びて形成される油溝と、該油溝の側壁に沿って前記突起状部材に向けて開口する開口部を有する導入部材とを含んでなることを特徴とする請求項４記載の変速機の潤滑装置。
【請求項９】
一方の開口端が前記軸受部材の突起状部材に対向する位置に形成され、他方の開口端が該軸受部材の内面に形成される潤滑油供給路を備えることを特徴とする請求項４記載の変速機の潤滑装置。
【請求項１０】
前記遮蔽部材が前記連結軸の一部もしくは前記出力軸の一部を覆うように円筒状に形成されることを特徴とする請求項１記載の変速機の潤滑装置。
【発明の詳細な説明】
【０００１】
【発明の属する技術分野】
本発明は、変速機の出力軸に連結される連結軸を支持する軸受部材に潤滑油を供給する変速機の潤滑装置に関する。
【０００２】
【従来の技術】
変速機においては、内蔵される変速機構もしくは各回転軸の摺動部に摩耗の抑制もしくは冷却などを目的として潤滑油を供給する潤滑装置が備えられている。このような潤滑装置は、例えば、実開昭６３−６２６６１号公報にも示されるように、変速機が作動中、変速機の後端部に設けられる末端ケース部としての先細状のリアエクステンションケース部内に後方に向けて延びる出力軸内部に形成される潤滑油通路を通じて潤滑油が供給される。供給される潤滑油が出力軸に設けられる噴出口を通じてリアエクステンションケース部の内面に向けて噴出されるもとで、リアエクステンションケース部の内面部に飛散した潤滑油を捕集し導く突起状部材としてのリブ部と、リアエクステンションケース部の後端部の開口端部に設けられ出力軸の端部に連結される連結軸としての推進軸の一端部を回動可能に支持する軸受部材に形成される潤滑油供給路とを含んでなるものが提案されている。リブ部は軸受部材における潤滑油供給路の一方の開口端に対向しリアエクステンションケース部の内面部の斜面に沿って延びて形成されている。また、軸受部材における潤滑油供給路の一方の開口端は、リブ部の終端部近傍の真下に近接して設けられている。
【０００３】
このような構成により、変速機が動作状態とされる場合、出力軸の回転に伴って噴出口から噴出された潤滑油がリアエクステンションケース部内に飛散し、それがリブ部に衝突して捕集される。捕集された潤滑油は、リブ部を伝わって終端部近傍に運ばれ、それが軸受部材における潤滑油供給路を通じて推進軸の一端の外周面と軸受部材の内周面との間に供給されて潤滑が図られることとなる。
【０００４】
【発明が解決しようとする課題】
しかしながら、変速機における出力軸の回転数が比較的高回転域となるとき、リブ部により捕集された潤滑油がリブ部の終端部近傍に到達する前に出力軸もしくは推進軸の一端部の回転に起因する風圧もしくは潤滑油滴の衝突により吹き飛ばされるおそれがある。これにより、潤滑油供給路を通じて軸受部材の内周面に供給される潤滑油量が低減されて潤滑性能が低下する場合がある。
【０００５】
以上の問題点を考慮して、本発明は、変速機の出力軸に連結される連結軸を支持する軸受部材に潤滑油を供給する変速機の潤滑装置であって、出力軸の回転数が比較的高回転数であっても潤滑油供給路を通じて軸受部材の内周面に供給される潤滑油量が低減することを抑制できる変速機の潤滑装置を提供することを目的とする。
【０００６】
【課題を解決するための手段】
上述の目的を達成すべく、本発明に係る変速機の潤滑装置は、変速機の末端部に設けられる末端ケース部における開口端部に配され、インナー部材とインナー部材の外周部に配されるアウター部材の２物品からなり、変速機の出力軸もしくは出力軸に連結される連結軸を支持する軸受部材と、末端ケース部の内面部に形成され、変速機の出力軸の回転に伴って変速機の内面部に飛散された潤滑油を該内面部に沿って前記軸受部材に導く突起状部材とを備え、アウター部材の一端をインナー部材における対向する一端部から末端ケース部内に出力軸に沿って突出させることにより、突起状部材と出力軸の一部もしくは連結軸の一部との間を遮蔽する遮蔽部材が構成されることを特徴とする。
また、本発明に係る変速機の潤滑装置は、変速機の末端部に設けられる末端ケース部における開口端部に配され、変速機の出力軸もしくは出力軸に連結される連結軸を支持する軸受部材と、末端ケース部の内面部に形成され、変速機の出力軸の回転に伴って変速機の内面部に飛散された潤滑油を内面部に沿って軸受部材に導く突起状部材とを備え、軸受部材とは別体に突起状部材と出力軸の一部もしくは連結軸の一部との間を遮蔽する遮蔽部材が、軸受部材の端部から末端ケース部の内方に向けて突出形成されることを特徴とする。
【０００７】
軸受部材は、突起状部材により導かれた潤滑油を内周面に導く潤滑油供給路を有し、遮蔽部材は該潤滑油を該潤滑油供給路に導く導入手段を有するものでもよい。
【０００８】
導入手段は、前記遮蔽部材の外周部に沿って伸びて形成される油溝、あるいは、導入手段は、遮蔽部材の外周部に突起状部材に向けて開口する開口部を有する導入部材でもよい。
【０００９】
導入手段が前記遮蔽部材の外周部に出力軸に沿って伸びて形成される油溝と、油溝の側壁に沿って突起状部材に向けて開口する開口部を有する導入部材とを含んでなるものでもよい。
【００１１】
遮蔽部材が連結軸の一部もしくは出力軸の一部を覆うように円筒状に形成されものでもよい。
【００１２】
【発明の実施の形態】
図３は、本発明に係る変速機の潤滑装置の第１の実施形態を、それが備えられた自動変速機の一部とともに示す。
【００１３】
図３に示される例においては、自動変速機における変速機本体ケース部１６の後端部には、末端ケース部としての先細状のリアエクステンションケース部１４がボルトで締結されて配されている。変速機本体ケース部１６の下端部には、油圧を制御するコントロールバルブユニット部２２が設けられており、また、変速機本体ケース部１６の後端部の内部には、一端部が図示が省略される遊星歯車機構を介して入力軸に連結される出力軸１０が設けられている。出力軸１０の他端部は、雄型のスプライン歯部が形成される連結部１０ａを有しリアエクステンションケース部１４の内部空間に向けて延び、連結軸としての推進軸１２の一端部の雌型のスプライン歯部１２ａに連結されている。出力軸１０には、推進軸１２に対向する端面部に斜面部２０ａを有するパーキングギア２０がニードルベアリング２０ｂを介して固着されている。また、出力軸１０におけるパーキングギア２０が固着されている部分と連結部１０ａとの間には、出力軸１０の回転数を検出するため図示が省略されるスピードメータに付設されそのスピードメータを駆動させるピニオンギアＰＧに噛合されるねじ歯車部１０ｅが設けられている。
【００１４】
出力軸１０の内部には、図示が省略されるオイルポンプからの作動油圧が供給されるコントロールバルブユニット部２２およびトルクコンバータに接続されるオイルクーラ油圧系に接続される潤滑油供給通路１０ｃが形成されている。出力軸１０におけるパーキングギア２０が設けられた部分には、内部に形成される潤滑油供給通路１０ｃの終端に連通し軸線に直交する噴出口１０ｂが設けられている。
【００１５】
リアエクステンションケース部１４の上部における出力軸１０に対向する内周面部には、図３において後端部に向かう右下がりの斜面に沿って突起状部材としてのリブ部１４ａが形成されている。リブ部１４ａの基端部は変速機本体ケース部１６の後端面に対向し、終端部はリアエクステンションケース部１４の後端部の開口端に配される軸受部材２４の外周面に対向している。リアエクステンションケース部１４の内周面の下部における前端部に向かう左下がりの斜面には、図示が省略されるオイルパン２２ｂ内に連通する潤滑油戻し通路８が設けられている。また、リアエクステンションケース部１４の後端部の内面と推進軸１２の一端部の外周面との間に形成される空間内には、潤滑油の漏出を防止するオイルシール３０が設けられている。
【００１６】
軸受部材２４は、図１に拡大されて示されるように、例えば、鋼板で円筒状に作られ、リアエクステンションケース部１４の後端部における開口部１４ｃに圧入されるアウター部材２６と、アウター部材２６の内側に圧入されて設けられ推進軸１２の一端部に摺接するインナー部材２８とを含んで構成されている。
【００１７】
インナー部材２８は、軸受合金、例えば、ホワイトメタルで円筒状に作られ、推進軸１２の一端部および出力軸１０の他端部を回動可能に支持している。
【００１８】
アウター部材２６は、例えば、円筒状に作られ、インナー部材２８の一端部よりもさらにリアエクステンションケース部１４内に出力軸１０に沿って突出する遮蔽部材として延在部３２を有している。延在部３２は、出力軸１０における推進軸１２の一端部と連結される連結部１０ａの一部および推進軸１２の一端部を覆うものである。延在部３２の長さは、少なくとも推進軸１２の一端部および出力軸１０の他端部を覆う程度の長さに設定される。アウター部材２６の外周部の一部および延在部３２の外周部には、図１および図２に示されるように、所定の幅および深さを有する油溝３４が導入手段として出力軸１０に沿って形成されている。油溝３４における後方の端部には、一方の開口端部がリブ部１４ａの終端部近傍に対向し、他方の開口端部が推進軸１２の一端部の外周面に対向する潤滑油供給路３６がアウター部材２６およびインナー部材２８を出力軸１０の軸線に直交する方向に貫通して設けられている。
【００１９】
かかる構成のもとで、出力軸１０が回転せしめられ出力軸１０における潤滑油供給通路１０ｃに潤滑油が供給されるとき、潤滑油が噴出口１０ｂを通じて噴出されて、それがパーキングギア２０の斜面部２０ａに沿ってリアエクステンションケース部１４の内部空間に飛散される。飛散された潤滑油のうちの一部がリブ部１４ａに衝突し、それがつたわって下方の終端部に向けて運ばれることとなる。リブ部１４の終端部近傍まで到達した潤滑油は直接的に潤滑油供給路３６に、あるいは、軸受部材２４における油溝３４に落下した後、油溝３４を通じて潤滑油供給路３６に供給されることとなる。これにより、潤滑油が潤滑油供給路３６を通じてインナー部材２８の内周面と推進軸１２の一端部の外周面との隙間に供給され潤滑が図られることとなる。インナー部材２８の内周面と推進軸１２の一端部の外周面との隙間から漏れだした潤滑油はリアエクステンションケース部１４の下部の潤滑油戻り通路１４ｄ、下部の内壁面部、および、潤滑油戻し通路８を通じてオイルパン２２ｂに戻されることとなる。
【００２０】
その際、出力軸１０の回転数が比較的高回転数の場合、出力軸１０の連結部１０ａおよび推進軸１２の一端部の回転により飛散される潤滑油により潤滑油がリブ部１４ａをつたわって終端部近傍に到達することが妨害されることは、出力軸１０の連結部１０ａおよび推進軸１２の一端部が延在部３２により覆われていることにより抑制されることとなる。また、リブ部１４ａにより捕集された潤滑油が推進軸１２の一端部および出力軸１０の回転に起因する風圧もしくは飛散される潤滑油滴により吹き飛ばされその終端部近傍まで到達せず終端部近傍において落下した場合であっても落下した潤滑油滴が延在部３２における油溝３４により受け取られ、それが油溝３４および潤滑油供給路３６を通じて供給されることとなる。従って、出力軸１０の回転数が比較的高回転数であっても潤滑油供給路３６を通じて軸受部材２４のインナー部材２８の内周面に供給される潤滑油量が低減することが抑制されることとなる。
【００２１】
図４および図５は、本発明に係る変速機の潤滑装置の第２の実施形態を示す。
【００２２】
図４および図５に示される例は、図１および図２に示される例においては軸受部材２４のアウター部材２６の延在部３２の外周面に、潤滑油を潤滑油供給路３６に導く油溝３４が設けられたものであるが、その代わりに、加えて、油溝３４の周縁部の一部分に沿って相互に対向配置される導入板４０が設けられたものである。なお、図４および図５に示される例、および、後述される第３の実施形態においては、図１および図２に示される例における構成部品と同一の構成部品については同一の符号を付して示し、その重複説明を省略する。
【００２３】
導入部材としての導入板４０は、例えば、それぞれ、薄鋼板もしくは樹脂で作られその一方の端部が油溝３４の側壁の一部分に溶着されて設けられている。各導入板４０の他方の端部はリブ部１４ａに上方に向かって広がっている。これにより、リブ部１４ａの終端部近傍に到達する前に落下した潤滑油の一部が直接的に導入板４０に接触し、それがつたわって油溝３４に容易に導かれることとなる。従って、上述の第１の実施形態において得られた効果と同様な効果が得られることとなる。
【００２４】
なお、かかる例においては、油溝３４の側壁の一部分に沿って相互に対向配置される導入板４０が設けられたものであるが、必ずしもこのようにされる必要はなく、例えば、油溝３４が設けられることなく導入板４０の後端部が潤滑油供給路３６まで延びてアウター部材２６における延在部の外周面に設けられ、潤滑油を潤滑油供給路３６に導くように構成されてもよい。
【００２５】
また、上述の第１および第２の実施形態における軸受部材２４はアウター部材２６およびインナー部材２８とを含む構造とされているが、かかる例に限られることなく、軸受部材２４がインナー部材２８のみの構造とされてもよい。その場合にあっては、例えば、その内周部に小径部と小径部に連なる延在部としての大径部が出力軸１０の連結部１０ａもしくは推進軸１２の一端部を覆うように設けられてもよい。
【００２６】
さらに、上述の第１および第２の実施形態における軸受部材２４の延在部３２の形状が円筒状とされているが、必ずしもこのようにされる必要がなく、延在部３２の形状が半円筒状とされてもよい。
【００２７】
図６、および、図７（Ａ）、（Ｂ）は、本発明に係る変速機の潤滑装置の第３の実施形態を示す。
【００２８】
図６、および、図７（Ａ）、（Ｂ）に示される例は、図１および図２に示される例では円筒状に作られるアウター部材２６およびインナー部材２８からなる軸受部材２４がリアエクステンションケース部１４の開口部１４ｃに配され、延在部３２がアウター部材２６に一体に設けられたものであるが、その代わりに、２種類の材料を合わせた複合的な構成とされることなくインナー部材２８の材料と同等の単一の材料で作られる軸受部材４２がリアエクステンションケース部１４の開口部１４ｃに配されるもとで、推進軸１２の一端部、および、出力軸１０の連結部１０ａとリブ部１４ａの終端部近傍との間を遮蔽する半円筒状の遮蔽部材４４が軸受部材４２とは別体に設けられるものである。
【００２９】
軸受部材４２におけるリブ部１４ａの終端部近傍に対向する部分には、出力軸１０の軸線に直交する方向に貫通し内周面に潤滑油を供給する潤滑油供給路４６が設けられている。
【００３０】
遮蔽部材４４は、例えば、薄鋼板で作られ、図７（Ｂ）に示されるように、その前端部から突出する屈曲片がリアエクステンションケース部１４の内周面部に形成される突起部１４ｅにボルト５２で固定されることによりリアエクステンションケース部１４の内周面部に連結支持されている。図７（Ｂ）は、図７（Ａ）において矢印Ｂが示す方向から見た部分断面図である。なお、遮蔽部材４４は、鋳造成形の際、リアエクステンションケース部１４の内周面部に一体に成形されてもよい。
【００３１】
遮蔽部材４４のリブ部１４ａに対向する外周面には、出力軸１０に沿って所定の幅および深さを有する油溝４８が設けられている。遮蔽部材４４の油溝４８の後端部には、軸受部材４２の潤滑油供給路４６の一方の開口端、および、リブ部１４ａの終端部近傍に対し開口する開口部４６が設けられている。これにより、軸受部材４２が機械加工が容易となる簡単な構造とされ、かつ、導入手段としての油溝４８および開口部４６を有し軽量化された遮蔽部材４４がリアエクステンションケース部１４の内周面部に支持されるもとで、遮蔽部材４４によって推進軸１２の一端部、および、出力軸１０の連結部１０ａが覆われて、推進軸１２の一端部、および、出力軸１０の連結部１０ａとリブ部１４ａの終端部近傍との間が遮蔽されることとなる。従って、上述の第１および第２の実施形態において得られた効果と同様な効果が得られる。
【００３２】
なお、上述の第１〜第３の実施形態においては、軸受部材２４に導入手段として油溝もしくは導入板が設けられ、また、遮蔽部材４４に導入手段としての油溝が設けられる構成とされているが、必ずしもこのようにされる必要はなく、軸受部材２４および遮蔽部材４４にそれぞれこのような導入手段が設けられなくてもよいことは勿論である。
【００３３】
【発明の効果】
以上の説明から明らかなように、本発明に係る変速機の潤滑装置によれば、突起状部材と出力軸の一部もしくは連結軸の一部との間を遮蔽する遮蔽部材が軸受部材近傍に設けられ、また、その遮蔽部材は、突起状部材により導かれた潤滑油を潤滑油供給路に導く導入手段を有するので、突起状部材により導かれた潤滑油が潤滑油供給路に直接的に落下しない場合であっても潤滑油が、導入手段、例えば、油溝により潤滑油供給路に導かれることとなる。従って、出力軸の回転数が比較的高回転数であっても潤滑油供給路を通じて軸受部材の内周面に供給される潤滑油量が低減することを抑制できることとなる。
【００３４】
また、遮蔽部材が連結軸の一部もしくは出力軸の一部を覆うように形成されるときにおいては、連結軸の一部もしくは出力軸の一部の回転によって飛散される潤滑油滴などの衝突によって突起状部材により導かれた潤滑油を潤滑油供給路に導くことが妨害されることが抑制されることとなる。
【００３５】
さらに、導入手段が油溝の開口端の側壁の一部もしくは遮蔽部材の外周部に突起状部材に向けて開口する開口部を有する導入部材である場合においては、飛散する潤滑油もしくは突起状部材から落下してくる潤滑油を容易に油溝もしくは潤滑油供給路に導くことができるという利点を有する。
【図面の簡単な説明】
【図１】本発明に係る変速機の潤滑装置の第１の実施形態の要部を拡大して示す断面図である。
【図２】図１に示される例における横断面図である。
【図３】本発明に係る変速機の潤滑装置の第１の実施形態を、それが備えられた自動変速機の要部とともに示す断面図である。
【図４】本発明に係る変速機の潤滑装置の第２の実施形態の要部を拡大して示す断面図である。
【図５】図４に示される例における横断面図である。
【図６】本発明に係る変速機の潤滑装置の第２の実施形態の要部を拡大して示す断面図である。
【図７】（Ａ）は図６に示される例における横断面図、（Ｂ）は（Ａ）において矢印Ｂが示す方向から見た部分断面図である。
【符号の説明】
１０  出力軸
１２  推進軸
１４  リアエクステンションケース部
１４ａ  リブ部
２４、４２  軸受部材
２６  アウター部材
２８  インナー部材
３２  延在部
３４、５０  油溝
３６、４６  潤滑油供給路
４０  導入板
４４  遮蔽部材
【図１】
0003616443.tif 000002
【図２】
0003616443.tif 000003
【図３】
0003616443.tif 000004
【図４】
0003616443.tif 000005
【図５】
0003616443.tif 000006
【図６】
0003616443.tif 000007
【図７】
0003616443.tif 000008